(57)【特許請求の範囲】
【請求項１】
少なくとも２層の記録層を有する光学式多層記録媒体を用いて各層に記録された情報を光学ヘッドを用いて再生する光メモリ再生装置において、記録層中の任意の記録層を再生している状態から他の記録層の再生をするためにフォーカス点を切り替えるフォーカス手段と、光学ヘッドにより記録層から再生された信号を増幅し出力振幅が一定の値になるように制御する自動利得制御回路を有する信号再生手段と、前記フォーカス手段の動作と、前記信号再生手段の動作を制御する制御手段とを有し、前記フォーカス手段によるフォーカス点の切替え時には、前記制御手段の命令により前記信号再生手段の前記自動利得制御回路の利得をフォーカス点の切り替え前の値に保持することを特徴とする光メモリ再生装置。
【請求項２】
請求項１において、前記制御手段がフォーカス切り替えの命令を出した時点から、フォーカス点の切り替え後所定の時間の経過までの期間、前記自動利得制御回路の利得を保持することを特徴とする光メモリ再生装置。
【請求項３】
請求項２において、フォーカス点の切り替え後所定の時間とは、フォーカス制御ループの制御帯域と過渡応答性で決まる整定の時間であることを特徴とする光メモリ再生装置。
【請求項４】
請求項２において、フォーカス点の切り替え後所定の時間とは、フォーカス点の切り替えを行い再生しようとする記録層でフォーカス引き込み制御を始めてから、フォーカスエラー信号の振幅が所定値よりも大きい期間であることを特徴とする光メモリ再生装置。
【請求項５】
請求項１から４のいずれかにおいて、前記制御手段は前記信号再生手段の前記自動利得制御回路の利得制御の追従性を制御する手段を有し、前記自動利得制御回路の利得の保持を終了させた後に所定期間前記自動利得制御回路の利得制御の追従性を速くする事を特徴とする光メモリ再生装置。
【請求項６】
少なくとも２層の記録層を有する光学式多層記録媒体を用いて各層に記録された情報を光学ヘッドを用いて再生する光メモリ再生装置において、記録層中の任意の記録層を再生している状態から他の記録層の再生をするためにフォーカス点を切り替えるフォーカス手段と、光学ヘッドにより記録層から再生された信号を増幅し出力振幅が一定の値になるように制御する自動利得制御回路を有する信号再生手段と、各層の情報を再生した時の前記自動利得制御回路の利得を記憶する記憶手段と、前記信号再生手段の自動利得制御回路の利得を強制的に設定する制御手段を有し、前記フォーカス制御手段によるフォーカス点の切り替え後所定の時間、前記制御手段は前記記憶手段に記憶されたフォーカス点切り替え後に再生する記録層における前記自動利得制御回路の利得に強制的に固定することを特徴とする光メモリ再生装置。
【請求項７】
請求項６において、フォーカス点の切替え後所定の時間とは、フォーカス制御ループの制御帯域と過渡応答性で決まる整定の時間であることを特徴とする光メモリ再生装置。
【請求項８】
請求項６において、フォーカス点の切替え後所定の時間とは、フォーカス点の切り替えの開始から、再生しようとする記録層でフォーカス引き込み制御を行いフォーカスエラー信号の振幅が所定値よりも大きい期間であることを特徴とする光メモリ再生装置。
【発明の詳細な説明】
【０００１】
【発明の属する技術分野】
本発明は、少なくとも２層の記録層を有する光学式多層記録媒体の信号を再生する光メモリ再生装置に関するものである。
【０００２】
【従来の技術】
近年、高密度及び大容量の光記憶媒体として、さまざまな仕様の光メモリ装置が提案され規格化されている。高密度化、大容量化の手法としては、さまざまな方法が提案されているが、その手法の一つとして複数の記録層を有する光記録媒体が提案されている。例えばＤＶＤ規格（ＤＶＤ    ＢＯＯＫ参照）は二層ディスクについて規格化している。直径１２ｃｍのディスクで片面二層の場合、容量は合計８．５ＧＢである。二層の間隔は４０μｍから７０μｍで、各記録層の反射率は２５％から４０％と規定されており、二層間で再生信号の振幅が変化することを許容している。信号再生系の利得を固定にして再生すると、再生振幅が小さすぎたり、逆に大きすぎて信号が飽和してしまう可能性が生じる。このため従来の光メモリ装置では、再生信号の振幅が一定となるような制御を行なっていた。ＡＧＣ（Ａｕｔｏｍａｔｉｃ  Ｇａｉｎ  Ｃｏｎｔｒｏｌ）と呼ぶものである。
【０００３】
【発明が解決しようとする課題】
しかし、従来の光メモリ装置は、再生する層の切り替えをおこなってから、しばらくの間信号の再生ができなくなる場合がある。図１５に示すのは記録層１よりも記録層２の方が再生信号の振幅が大きい場合で、フォーカス点の切り替えを行なってから信号が飽和してしまう期間が発生する。この期間は再生信号は正常に読み取れない。この結果、層間の切り替えを行なう時の、目標とするデータへのアクセスタイムが増大してしまうという課題を有する。また、デジタルビデオディスクの場合には、切り替え時間の増大により画面切り替え時間がかかり、ユーザから見て応答性が悪いというような感じをいだくことになる。
【０００４】
一方、各記録層で信号再生系の利得を装置立ち上げ時やディスクの交換時に、たとえばディスクの内周側で一度調整して、実際に信号を再生する時には、立ち上げ時に調整した値を使って各層の再生を行なう方法も用いられている。この場合、ディスクの内外周での再生信号の振幅の変動には対応できないので、ディスク全面に渡って安定した再生状態を保てなくなるという課題を有する。
【０００５】
そこで、本発明は上記課題を解決するためのものであり、多層の記録層を有する光記録媒体において、ある層から別の層へ再生を切り替えた時に直ちに再生可能な状態になるように装置の制御をすることを主な目的とする。
【０００６】
【課題を解決するための手段】
上記課題を解決する本発明の構成は、
１）少なくとも２層の記録層を有する光学式多層記録媒体を用いて各層に記録された情報を光学ヘッドを用いて再生する光メモリ再生装置において、記録層中の任意の記録層を再生している状態から他の記録層の再生をするためにフォーカス点を切り替えるフォーカス手段と、光学ヘッドにより記録層から再生された信号を増幅し出力振幅が一定の値になるように制御する自動利得制御回路（以下「ＡＧＣ回路」という。）を有する信号再生手段と、前記フォーカス手段の動作と、前記信号再生手段の動作を制御する制御手段とを有し、前記フォーカス手段によるフォーカス点の切替え時には、前記制御手段の命令により前記信号再生手段のＡＧＣ回路の利得をフォーカス点の切り替え前の値に保持するよう構成したことを特徴とする。
【０００７】
ここで、前記制御手段がフォーカス切り替えの命令を出した時点から、フォーカス点の切り替え後所定の時間の経過までの期間、前記ＡＧＣ回路の利得を保持するよう構成したことを特徴とする。
【０００８】
さらに、フォーカス点の切り替え後所定の時間とは、フォーカス制御ループの制御帯域と過渡応答性で決まる整定の時間であるように構成したことを特徴とする。
【０００９】
もしくは、フォーカス点の切り替え後所定の時間とは、フォーカス点の切り替えを行い再生しようとする記録層でフォーカス引き込み制御を始めてから、フォーカスエラー信号の振幅が所定値よりも大きい期間であるように構成したことを特徴とする。
【００１１】
さらに、いずれの場合においても、前記制御手段は前記信号再生手段のＡＧＣ回路の利得制御の追従性を制御する手段を有し、前記ＡＧＣ回路の利得の保持を終了させた後に所定期間前記ＡＧＣ回路の利得制御の追従性を速くするようにすることもできる。
【００１２】
２）少なくとも２層の記録層を有する光学式多層記録媒体を用いて各層に記録された情報を光学ヘッドを用いて再生する光メモリ再生装置において、記録層中の任意の記録層を再生している状態から他の記録層の再生をするためにフォーカス点を切り替えるフォーカス手段と、光学ヘッドにより記録層から再生された信号を増幅し、出力振幅が一定の値になるように制御する自動利得制御回路（以下ＡＧＣ回路と呼ぶ）を有する信号再生手段と、各層の情報を再生した時のＡＧＣ回路の利得を記憶する記憶手段と、前記信号再生手段のＡＧＣ回路の利得を強制的に設定する制御手段とを有し、前記フォーカス制御手段によるフォーカス点の切り替え後所定の時間、前記制御手段は前記記憶手段に記憶されたフォーカス点切り替え後に再生する記録層におけるＡＧＣ回路の利得に強制的に固定するよう構成したことを特徴とする。
【００１３】
ここで、フォーカス点の切替え後所定の時間とは、フォーカス制御ループの制御帯域と過渡応答性で決まる整定の時間であるよう構成したことを特徴とする。
【００１４】
さらに、フォーカス点の切替え後所定の時間とは、フォーカス点の切り替えの開始から、再生しようとする記録層でフォーカス引き込み制御を行いフォーカスエラー信号の振幅が所定値よりも大きい期間であるよう構成することもできる。
【００１５】
【発明の実施の形態】
以下、本発明の実施例に基づき説明する。
【００１６】
（実施例１）
図１は本発明の実施例１における光メモリ再生装置のブロック図である。光ディスク５は光学式多層記録媒体（以下光ディスクと呼ぶ）で、スピンドルモータ６により回転する。光学ヘッド４で光ディスク５の記録層の情報を再生するとともに、焦点合わせの為のフォーカスエラー信号と、データピット列に追従させる為のトラックエラー信号の検出を行なう。フォーカス手段１は制御手段３からの命令で、光学ヘッド４から放射された光ビームを信号を再生したい記録層に集光する制御を行なう。また、図中には示してないが、トラックサーボ手段により、集光された光ビームは記録層中のデータピット列に追従する制御を行なう。光学ヘッド４から信号再生手段２に光ディスク５上のピット列を再生したアナログの再生信号が入力される。信号再生手段２は入力されたアナログ信号を増幅、波形等化処理、ローパスフィルタで不要帯域のノイズ除去、また出力振幅を一定値に保つためのＡＧＣ（Ａｕｔｏｍａｔｉｃ  Ｇａｉｎ  Ｃｏｎｔｒｏｌ）制御を行う。多層ディスクである光ディスク５のある記録層から別の記録層へのフォーカス点の切替え時には、制御手段３からの司令によりフォーカス手段１は再生する記録層のフォーカス点の切替えを行い、信号再生手段２中のＡＧＣ制御の利得はフォーカス点の切替え前の値に保持されるように動作する。
【００１７】
図２は図１の中の信号再生手段２の具体的な実施回路例、また図３は回路の動作を説明するための図２の各部の信号波形図である。以下これらの図を用いてＡＧＣ制御の利得制御動作について説明する。
【００１８】
図２の中の端子１１からは前述したように光学ヘッドにより再生されたアナログ再生信号が入力される。利得制御増幅器（以下ＡＧＣアンプと呼ぶ）１２は、利得制御信号２４の値で定められる利得でアナログ再生信号を増幅する。１３は再生信号の不要帯域のノイズ除去を行うローパスフィルタと光ヘッドの周波数特性による高域の周波数の信号振幅劣化を補正する為の波形等化回路である。バッファアンプ１４を通して再生信号１５が端子１６から出力される。また、再生信号１５は振幅検出回路１７によりその振幅が検出され、アンプ１８からアナログスイッチ１９を介して抵抗２２とコンデンサ２３で形成されるローパスフィルタを通り、ＡＧＣアンプ１２の利得制御信号２４がつくられる。再生信号１５の振幅が所望の値より小さい時には、ＡＧＣアンプ１２の利得を大きくするように、逆に再生信号１５の振幅が所望の値より大きいときには、ＡＧＣアンプ１２の利得を小さくするように動作することで、再生信号１５の振幅が一定に保たれる。この制御はＡＧＣ（Ａｕｔｏｍａｔｉｃ    Ｇａｉｎ    Ｃｏｎｔｒｏｌ）と呼ばれる。
【００１９】
通常の追従モードでの応答性は、抵抗２２とコンデンサ２３で形成されるローパスフィルタで決まる。入力されるアナログ再生信号の振幅変動成分は、個別の光ディスク間の反射率や信号の変調度の違いによるもの、１枚の光ディスク上で半径位置による反射率信号の変調度の変動、さらに同一半径上で一周する間の反射率の変動成分がある。これらの中で変動の周波数成分が一番高いのが、同一半径上で一周する間の反射率の変動であり、光ディスクの回転周期に同期して発生する。たとえば光ディスクの回転数が１８００ｒｐｍの時には、３０Ｈｚを基本周期とした変動となる。ＡＧＣは基本周期の３倍くらいまでの変動に追従するように設計するとしても、高々１００Ｈｚ程度の応答性を持てばよい。
【００２０】
端子２０より入力される制御信号２１によりアナログスイッチ１９が開閉される。この実施例においては制御信号２１が“Ｌ”レベルの時にはアナログスイッチ１９は閉となりＡＧＣの制御は追従モードとなるものとする。一方、制御信号２１が“Ｈ”レベルの時にはアナログスイッチ１９は開となる。利得制御信号２４の値は、アナログスイッチ１９が開となる直前の値がコンデンサ２３に保持され、ＡＧＣアンプ１２の利得も保持されるホールドモードとなる。すなわち、制御信号２１の切り替えにより、ＡＧＣを追従モードとホールドモードに切り替えることができる。
【００２１】
図３に示した波形図では、記録層１から記録層２へのフォーカス点の切替えを始めてから、記録層２でフォーカスサーボを引き込みさらにフォーカスサーボ系が整定するまでの期間は制御信号２１は“Ｈ”レベルとなり、この期間ＡＧＣアンプの利得は記録層１を再生していた時の利得にホールドされる。２５はフォーカスエラー信号である。ここで、フォーカスサーボ系の整定時間はサーボ系の帯域とダンピング特性により定められる値で、フォーカスサーボ系の設計値より、予めこの整定時間を制御手段３は記憶しておけばよい。
【００２２】
ここで、光ディスクのフォーカスサーボ系等のサーボ制御は、近年デジタルサーボ方式のものが多く、その帯域やダンピング特性はサーボ系のキャリブレーションにより所望の値に精度良く自動調整することができるので、サーボ系の整定時間は設計値をそのまま用いてもよい時間精度が得られる。フォーカスサーボ系の整定するまでの期間、ＡＧＣアンプ１２の利得のホールドにより、再生波形１５は図に示すように切り替え後に飽和することなく再生される。
【００２３】
また、図４にはフォーカスエラー信号の振幅を検出して、ＡＧＣアンプ１２の利得の保持期間を決める場合の制御手段の一実施例を示す。図５は図４の各部の信号波形図である。端子２６からはフォーカスエラー信号２５が入力され、Ａ／Ｄ変換手段２７によりアナログ値からデジタル値に変換される。振幅検出手段２８によりフォーカスエラーの振幅を検出する。振幅検出手段２８ではローパス又はバンドパスフィルタ処理を行い、フォーカスエラー信号にのるノイズ成分の除去をした測定値２９を出力する。図５では便宜的に測定値２９をアナログ的な表現になっているが、デジタルサーボ系でフォーカスサーボを構成する場合には、デジタルデータ値となる。判定手段３０は、記録層２へフォーカスサーボを引き込んだ後のフォーカスエラー振幅測定値２９とフォーカスサーボが整定したと判別する為の判定値との比較を行う。フォーカスサーボ精度を１μｍ以内とすると、およそ１．５〜２μｍのデフォーカスに相当する値を整定終了の判定値とするのが望ましい。制御信号生成手段３１は判定手段３０からの判定信号に基づき、ＡＧＣアンプの利得を保持する制御信号３２を端子３３から出力する。
【００２４】
図６はＡＧＣの追従性の切替え機能を有する再生手段の他の実施例である。図中、図２と同じものについては同一番号で示してある。この実施例では、ＡＧＣアンプ１２の利得制御追従性を決める為のコンデンサ２３と並列に、もうひとつのコンデンサ３６が接続されている。コンデンサ３６はアナログスイッチ３７を介して接地される。端子３４からはアナログスイッチ３７の開閉を制御する信号３５が入力される。この実施例においては制御信号３５が“Ｈ”レベルの時にアナログスイッチ３７は開となり、逆に“Ｌ”の時はアナログスイッチ３７は閉となるものとする。
【００２５】
まず、制御信号３５が“Ｌ”の時にはアナログスイッチ３７が閉となり、コンデンサ２３とコンデンサ３６が並列接続され、合成容量は両方の値の和となる。この状態が通常のＡＧＣ追従モードであると定義する。一方、制御信号３５が“Ｈ”の時アナログスイッチ３７は開となり、コンデンサ２３のみが接地される状態となる。この時、抵抗２２とコンデンサ２３で決まる時定数はアナログスイッチ３７が閉の時よりも小さくなリ、ＡＧＣの追従性を速くすることができる。
【００２６】
図７には図６の各部の信号波形を示す。制御信号２１と３５は制御手段より与えられる信号である。まず、記録層１から記録層２へフォーカス点の切替えを行い、さらにフォーカスサーボ系の整定するまでの期間は、制御信号２１が“Ｈ”となっていて、ＡＧＣアンプ１２の利得をホールドする。その後制御信号３５を所定期間“Ｈ”にして、ＡＧＣの制御追従性を速くすることにより、再生信号１５が正常な振幅値に戻るまでの時間を短縮することが可能になり、フォーカス点切り替え後直ちにデータの再生が可能となる。図７では記録層１よりも記録層２の方が反射率または再生信号の変調度が大きい時の例である。逆に、記録層１よりも記録層２の方が反射率または再生信号の変調度が小さい時には、フォーカス点切替え後、再生信号１５の振幅が小さくなるが、この場合の各部の波形を図８に示す。
【００２７】
（実施例２）
図９に本発明の光メモリ再生装置の第２の実施例のブロック図を示す。図中実施例１と同様のものについては同一番号で示す。まず信号再生回路２の中にあるＡＧＣ回路の利得の記憶について説明する。記憶手段７はディスク５の各層の再生をしている時の信号再生手段２の中のＡＧＣ回路の利得を記憶する。装置立ち上げ時やディスクが入れ替えられた時、もしくはその他必要な時に、各記録層の再生を行う時の信号再生手段２中のＡＧＣ回路の利得の記憶を行う。本実施例では２層の場合について説明する。制御手段８はフォーカス手段１に対しまず第一層の再生を行うよう司令し、さらに図には示していないがトラックサーボ手段によりデータ列に追従し信号を再生できる状態にする。この状態で記憶手段７に対しＡＧＣ回路の利得の情報を記憶するよう命令する。続いて、フォーカス手段１に対して、フォーカス点の切り替えを命令し、第２層の再生を行い、この状態でのＡＧＣ回路の利得の情報を、記憶手段７に対し記憶するように命令する。
【００２８】
次に、実際に信号を再生を行なっている時に、現在再生している記録層から他の記録層にフォーカス点の切り替えをして、信号の再生を行なう場合の動作について説明する。制御手段８はフォーカス手段１に対し、フォーカス点切り替えの命令を出すとともに、フォーカス点の切り替えを行っている期間、記憶手段７に記憶されたフォーカス点切り替え後の記録層でのＡＧＣ回路の利得になるように信号再生手段のＡＧＣ回路の利得を強制的に固定する。フォーカス点切り替え後は通常のＡＧＣ制御ループに戻す。このように制御することによって、フォーカス点切り替え後信号が飽和したり、小さすぎたりすることなく直ちにデータの再生を行うことができる。
【００２９】
各層のＡＧＣ回路の利得を記憶する制御の流れについて、図１０のフローチャートを用いて説明する。端子１００から制御が始まり、１０１のステップで第一層にフォーカスサーボを引き込む。次いで１０２のステップでトラックサーボをオンして信号の第一層での再生状態にする。１０３のステップで第一層でのＡＧＣ回路の利得を記憶する。次に１０４のステップで第一層から第二層へのフォーカス点の切り替えを行ない、第２層の再生状態とする。１０５のステップで第２層でのＡＧＣ回路の利得を記憶して、端子１０６で制御を終了する。
ＡＧＣの利得の記憶は、ある記録層を再生してＡＧＣループが通常の追従モードの状態におけるＡＧＣアンプの利得制御信号２４を記憶する。記憶する信号はある任意の時点での１個のサンプル値でもよいが、さらに精度向上やノイズ等による誤動作をさけるための方法として、図１１に示す回路を用いた場合について説明する。この回路は平均化処理を行なうものである。端子５６からはＡＧＣアンプの利得制御信号２４がＡ／Ｄ変換手段４０に入力され、逐次デジタル値４１に変換される。平均化手段５７は制御手段より与えられる端子５８からの制御信号５９の司令によりデジタル値４１の平均化処理を行い、出力信号６０を記憶手段６１に与える。端子６３からは記録手段６１に記録された信号６２が出力される。ここで、平均化の方法には具体的には、以下に述べるような方法が考えられる。
【００３０】
ＡＧＣ制御は、ディスク１回転の間に反射率の変動による再生信号の振幅の変動を抑圧するように動作する。従ってディスク１回転分のデータの平均化を行うのが有効である。さらにノイズや誤動作による誤差を減少させるために、平均化する有効データに上下の限界値を設け、限界値を超えるデータはノイズ等による誤検出であると判断して無視して、平均化処理することによりより精度が向上する。
【００３１】
また、ディスクの内周から外周に渡っての反射率や信号変調度の変化に対してもＡＧＣ回路は追従するので、ディスクの半径方向で何点か上記の１周分の平均化を行い、さらにそれらの平均化を行う方法も考えられる。たとえば、ディスクの内周、中周付近、外周と３箇所の半径位置で平均化演算を行う。
【００３２】
平均化手段５７は、デジタル回路を用いてハード的にも実現できるが、制御手段中のＣＰＵがソフト的に演算しても良い。また、記憶手段としては、ＲＡＭなどの書き換え可能なメモリを用いるほか、専用のレジスタを用意して使う方法も有る。
【００３３】
次に、実際に記録層の切り替えをして、信号の再生を行なう場合の装置の制御の流れについて、図１２に示すフローチャートで説明する。端子１０７から制御が開始される。１０８のステップで第一層の再生を行なう。１０９のステップでフォーカス点の切り替えをフォーカスサーボ手段に対し司令する。１１０のステップでＡＧＣ回路のゲインを、これから再生する第２層の値に固定する。この値は前述した記憶手段６１に記憶されている値である。次に１１１のステップでフォーカス点が切り替わり第２層へのフォーカスサーボの整定待ちをする。フォーカスサーボが整定されたと判断すると、１１２のステップでＡＧＣループを通常の追従モードに戻し、端子１１３で制御を終了する。
【００３４】
図１３に具体的な実施回路例を示す。端子１１からは光学ヘッドにより再生されたアナログ再生信号が入力される。利得制御増幅器（ＡＧＣアンプと呼ぶ）１２はアナログ再生信号を利得制御信号５４の値で決められる利得で増幅する。１３はＡＧＣアンプ出力信号の不要帯域のノイズ除去を行うローパスフィルタと、高周波数の信号振幅劣化を補正する波形等化回路である。バッファアンプ１４を通して再生信号１５が端子１６から出力される。さらに、再生信号１５は振幅検出回路１７によりその振幅が検出され、アンプ１８からアナログスイッチ１９を介して抵抗２２とコンデンサ２３で形成されるローパスフィルタを通り、ＡＧＣアンプ１２の利得制御信号２４がつくられる。再生信号１５の振幅が所望の値より小さい時にはＡＧＣアンプの利得を大きくするように、逆に再生信号１５の振幅が所望の値より大きいときにはＡＧＣアンプの利得を小さくするように動作する。通常の追従モードでの応答性は、抵抗２２とコンデンサ２３で形成されるローパスフィルタで決まる。
【００３５】
ここで、アナログスイッチ５３はＡＧＣのモードを通常の追従モードか強制固定モードかの切り替えを行うためのもので、制御手段８からの信号５２により切り替えられる。通常の追従モード時にはＡＧＣアンプ１２の利得制御信号５４はスイッチ５３は信号２４側に接続され、強制固定モード時にはＤ／Ａ変換手段５１の出力５５側に接続される。  なお、Ｄ／Ａ変換手段５１は通常のＤ／Ａ変換器を用いる他に、ＰＷＭ（Ｐｕｌｓｅ    Ｗｉｄｔｈ    Ｍｏｄｕｌａｔｉｏｎ）回路を用いても実現できる。
【００３６】
Ａ／Ｄ変換手段４０は信号２４をアナログ値からデジタル値４１に変換する。制御手段８からの制御信号４２により、第１層の再生時のデジタル値４１が第１層利得記憶手段４４に記憶される。同様に制御手段８からの制御信号４３により、第１層の再生時のデジタル値４１が第１層利得記憶手段４５に記憶される。セレクタ４９は制御信号４６により、第１層利得記憶手段の出力４８か第２層利得記憶手段の出力４７かを選択して、信号５０をＤ／Ａ変換手段５１にわたす。
【００３７】
図１４に図１３における各部の信号波形を示す。この例では、記録層２を再生した時の再生信号１１の振幅が記録層１を再生した時の振幅より大きい場合で、記録層１から記録層２へフォーカス点の切り替えを行う例を示したものである。まず、制御手段８はセレクタ４９に対して制御信号４６により第２層利得記憶手段の出力４７を選択して信号５０をＤ／Ａ変換手段５１に出力するように制御される。さらに、フォーカス点切り替え後から記録層２へ切り替わり、フォーカスサーボ系が整定するまでの期間、スイッチ５３に対して制御信号５２を“Ｈ”にして、Ｄ／Ａ変換手段５１の出力５５をＡＧＣアンプ１２に与える。この結果ＡＧＣアンプ１２の利得は、制御信号５２が“Ｈ”の期間は強制的に利得が固定される。フォーカス点切り替えを終了してフォーカスサーボ系が整定した後、ＡＧＣの制御は通常の追従モードに戻される。従来に比べフォーカス点切り替え後に再生信号が飽和したり振幅が小さ過ぎたりすることなく、記録層２の再生が直ちにできる。
【００３８】
制御信号５２を“Ｈ”にする期間は実施例１中で述べたように、フォーカスサーボ系の整定時間の設計値にする方法や、フォーカスエラー信号の振幅を測定して所定値よりも大きい期間とする方法等がある。
【００３９】
以上、再生専用のディスクを例に説明をしてきたが、本発明は再生専用ディスクに限定されることなく、記録再生可能な光ディスク、またディスク形状でなく例えばカード形状の光メモリカードにも適用できるのは言うまでもない。さらに、記録再生可能なものについては、その記録原理は光磁気方式でも、相変化方式でも他の方式でも良い。
【００４０】
【発明の効果】
以上説明したように本発明によれば、次のような効果を有する。
【００４１】
１）複数の記録層を持つ光学式多層記録媒体の任意の記録層を再生している状態から、他の記録層の情報を再生するためにフォーカス点の切り替えを行った場合、直ちに情報の再生を開始できるという効果を有する。すなわち、使用者からみて目的のデータへのアクセススピードが従来に比べて高速化するという効果を有する。また、ディスクの種類がデジタルビデオディスクの場合には、層間の切り替え時間の短縮により、画面切り替え時間がスムーズに行なえ、ユーザから見て応答性が良いという効果を有する。
【図面の簡単な説明】
【図１】本発明の実施例１の光メモリ再生装置を示す概略構成図である。
【図２】本発明における信号再生手段の具体的な実施例の回路図である。
【図３】図２の各部の信号波形図である。
【図４】本発明における制御手段の一実施例を示す図である。
【図５】図４の各部の信号波形図である。
【図６】本発明の実施例における再生手段の他の実施例の回路図である。
【図７】図６の各部の信号波形図である。
【図８】記録層１よりも記録層２の方が反射率または再生信号の変調度が小さい時の図６の各部の信号波形図である。
【図９】本発明の実施例２における、光メモリ再生装置を示す概略構成図である
【図１０】各層のＡＧＣ回路の利得を記憶する制御の流れを説明するフローチャートである。
【図１１】本発明の実施例２における記憶手段の一実施例の回路図である。
【図１２】記録層の切り替えをして信号の再生を行なう場合の装置の制御の流れを説明するフローチャートである。
【図１３】本発明の実施例２における具体的な回路図である。
【図１４】図１３の各部の信号波形図である。
【図１５】従来の光メモリ再生装置の動作を説明するための信号波形図である。
【符号の説明】
１    フォーカス手段
２    信号再生手段
３    制御手段
４    光学ヘッド
５    光ディスク
１２    ＡＧＣアンプ
【図１】
0003612925.tif 000002
【図２】
0003612925.tif 000003
【図３】
0003612925.tif 000004
【図４】
0003612925.tif 000005
【図５】
0003612925.tif 000006
【図６】
0003612925.tif 000007
【図７】
0003612925.tif 000008
【図８】
0003612925.tif 000009
【図９】
0003612925.tif 000010
【図１０】
0003612925.tif 000011
【図１１】
0003612925.tif 000012
【図１２】
0003612925.tif 000013
【図１３】
0003612925.tif 000014
【図１４】
0003612925.tif 000015
【図１５】
0003612925.tif 000016